【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
被検体を挿入する第１開口を有する第１支持体と、
前記被検体から伝播する音響波を受信して第１受信信号を出力する複数の第１音響波検出素子と、前記複数の第１音響波検出素子の少なくとも一部の第１音響波検出素子の最も受信感度の高い方向と前記少なくとも一部の第１音響波検出素子とは異なる第１音響波検出素子の最も受信感度の高い方向とが異なりかつ所定の領域に向かうように前記複数の第１音響波検出素子を支持する第２支持体とを有するとともに、前記第１支持体の前記第１開口から挿入された前記被検体とは、前記第１開口の開口面の法線方向において離間する探触子と、
前記第１支持体と前記探触子との間に設けられ、最も受信感度が高い方向が前記所定の領域に向かい、前記音響波を受信して第２受信信号を出力する複数の第２音響波検出素子と、
前記被検体と前記探触子との位置関係を変化させることにより前記被検体と前記所定の領域との位置関係を変化させる第１位置制御部と、
前記第１および第２受信信号に基づいて被検体情報を生成する生成部と
を備える被検体情報取得装置。
【請求項２】
前記複数の第１音響波検出素子は略球冠形状に沿って設けられる
請求項１に記載の被検体情報取得装置。
【請求項３】
前記第２支持体は第２開口を有する略球冠形状に形成される
請求項１または２に記載の被検体情報取得装置。
【請求項４】
前記所定の領域は前記略球冠形状が一部を形成する略球形状の中心および前記中心の近傍に形成される
請求項３に記載の被検体情報取得装置。
【請求項５】
前記第１位置制御部は前記中心が前記第１支持体の前記第１開口から挿入された前記被検体の内部に含まれるように前記被検体と前記探触子との位置関係を変化させる
請求項４に記載の被検体情報取得装置。
【請求項６】
前記第１位置制御部は前記探触子を走査し、
前記第２音響波検出素子は前記走査により前記第２開口の開口面が描く走査面と前記第１支持体との間に設けられる
請求項３乃至５のいずれか１項に記載の被検体情報取得装置。
【請求項７】
前記第１開口は円形であり、
前記第２音響波検出素子は前記第１開口の円周に沿って配置される
請求項１乃至６のいずれか１項に記載の被検体情報取得装置。
【請求項８】
前記第１支持体は前記第２音響波検出素子を保持する
請求項１乃至７のいずれか１項に記載の被検体情報取得装置。
【請求項９】
前記第１開口の円周方向に沿って前記第２音響波検出素子の位置を変化させることにより前記第２音響波検出素子を走査する第２位置制御部をさらに備える
請求項７に記載の被検体情報取得装置。
【請求項１０】
前記第２音響波検出素子の最も受信感度の高い方向を前記所定の領域に向ける姿勢制御部をさらに備える
請求項１乃至９のいずれか１項に記載の被検体情報取得装置。
【請求項１１】
前記被検体に光を照射することで前記音響波を前記被検体から伝播させる光照射部をさらに備える
請求項１乃至１０のいずれか１項に記載の被検体情報取得装置。
【請求項１２】
前記被検体に超音波を送信することで前記音響波を前記被検体から伝播させる超音波送信部をさらに備える
請求項１乃至１０のいずれか１項に記載の被検体情報取得装置。
【請求項１３】
前記生成した被検体情報を画像として表示する表示部をさらに備える
請求項１乃至１２のいずれか１項に記載の被検体情報取得装置。
【請求項１４】
被検体を挿入する第１開口を有する第１支持体と、
前記被検体から伝播する音響波を受信して第１受信信号を出力する複数の第１音響波検出素子と、前記複数の第１音響波検出素子の指向軸が集まるように前記複数の第１音響波検出素子を支持する第２支持体とを有するとともに、前記第１支持体の前記第１開口から挿入された前記被検体とは、前記第１開口の開口面の法線方向において離間する探触子と、
前記第１支持体と前記探触子との間に設けられ、最も受信感度が高い方向が所定の領域に向かい、前記音響波を受信して第２受信信号を出力する複数の第２音響波検出素子と、
前記被検体と前記探触子との位置関係を変化させることにより前記被検体と前記所定の領域との位置関係を変化させる第１位置制御部と、
前記第１および第２受信信号に基づいて被検体情報を生成する生成部と
を備える被検体情報取得装置。
【請求項１５】
被検体を挿入する挿入口が設けられ、被検者を支持する支持台と、
音響波を検出する複数の検出素子を備え、前記支持台に対して静止して設けられる静止探触子アレイと、
前記支持台との距離において前記静止探触子アレイより離れて位置し、所定の領域にそれぞれの指向軸が集まるように配列された、前記音響波を検出する複数の検出素子を備え、前記支持台に対して相対移動する移動探触子アレイと、
を備える音響波受信装置。
【請求項１６】
前記移動探触子アレイは、略球冠状に沿って前記検出素子を複数備えている
請求項１５に記載の音響波受信装置。
【請求項１７】
前記静止探触子アレイは、前記挿入口を囲むように前記支持台に固定されている
請求項１５または１６に記載の音響波受信装置。
【請求項１８】
前記指向軸は、受信感度の指向特性において相対的に高い受信感度を有する方向である請求項１５ないし１７のいずれか１項に記載の音響波受信装置。
【請求項１９】
前記移動探触子アレイを移動させる走査部をさらに備える
請求項１５ないし１８のいずれか１項に記載の音響波受信装置。
【請求項２０】
前記移動探触子アレイは、回転二次曲面上に前記検出素子を複数有している
請求項１９に記載の音響波受信装置。
【請求項２１】
前記回転二次曲面は、球面の一部であり、前記移動探触子アレイの前記指向軸は、前記球面の曲率中心に向けられている
請求項２０に記載の音響波受信装置。
【請求項２２】
前記走査部は、前記曲率中心が前記挿入口から挿入された前記被検体の内部に含まれるように、前記移動探触子アレイを走査する
請求項２１に記載の音響波受信装置。
【請求項２３】
前記移動探触子アレイは、前記支持台の側に開口を有する
請求項１９ないし２２のいずれか１項に記載の音響波受信装置。
【請求項２４】
前記静止探触子アレイは、前記走査部が前記移動探触子アレイを二次元状に走査する場合に前記開口が描く仮想的な走査面と、前記支持台との間に位置する
請求項２３に記載の音響波受信装置。
【請求項２５】
前記挿入口の周りで前記静止探触子アレイの前記複数の検出素子の位置を変化させることにより、前記静止探触子アレイを回転走査させる回転走査部をさらに備える
請求項１５ないし２４のいずれか１項に記載の音響波受信装置。
【請求項２６】
前記静止探触子アレイにおける前記検出素子の前記指向軸を前記所定の領域に向ける姿勢制御部をさらに備える
請求項１５ないし２５のいずれか１項に記載の音響波受信装置。
【請求項２７】
前記被検体に光を照射することで、前記音響波を前記被検体から伝播させる光照射部をさらに備える
請求項１５ないし２６のいずれか１項に記載の音響波受信装置。
【請求項２８】
前記光照射部は、光源と光学的に結合している
請求項２７に記載の音響波受信装置。
【請求項２９】
前記光照射部は、前記移動探触子アレイに設けられている
請求項２７または２８に記載の音響波受信装置。
【請求項３０】
前記被検体に超音波を送信することで前記音響波を前記被検体から伝播させる超音波送信部をさらに備える
請求項１５ないし２６のいずれか１項に記載の音響波受信装置。
【請求項３１】
前記超音波送信部は、前記移動探触子アレイに設けられている
請求項３０に記載の音響波受信装置。
【請求項３２】
前記移動探触子アレイおよび前記静止探触子アレイからの音響波信号に基づいて、被検体情報を生成する生成部をさらに備える
請求項１５ないし３１のいずれか１項に記載の音響波受信装置。
【請求項３３】
前記生成部が生成した前記被検体情報を画像として表示する表示部をさらに備える
請求項３２に記載の音響波受信装置。
【請求項３４】
被検体を挿入する挿入口が設けられ、被検者を支持する支持台と、
所定の領域にそれぞれの指向軸が集まるように配列された複数の検出素子を備え、前記支持台に対して相対移動する移動探触子アレイと、
複数の検出素子を備え、前記支持台に対して静止して設けられる静止探触子アレイと、を備え、
前記静止探触子アレイは、前記被検体から前記移動探触子アレイを臨む立体角を増加するように、前記支持台と前記移動探触子アレイとの間に配置されている
音響波受信装置。
【手続補正２】
【補正対象書類名】明細書
【補正対象項目名】発明の名称
【補正方法】変更
【補正の内容】
【発明の名称】被検体情報取得装置および音響波受信装置
【手続補正３】
【補正対象書類名】明細書
【補正対象項目名】０００１
【補正方法】変更
【補正の内容】
【０００１】
本発明は、被検体から伝播する音響波の情報を用いて被検体情報を可視化する被検体情報取得装置および音響波受信装置に関する。
【手続補正４】
【補正対象書類名】明細書
【補正対象項目名】００１０
【補正方法】変更
【補正の内容】
【００１０】
上記課題を解決するために、本発明は、被検体を挿入する第１開口を有する第１支持体と、前記被検体から伝播する音響波を受信して第１受信信号を出力する複数の第１音響波検出素子と、前記複数の第１音響波検出素子の少なくとも一部の第１音響波検出素子の最も受信感度の高い方向と前記少なくとも一部の第１音響波検出素子とは異なる第１音響波検出素子の最も受信感度の高い方向とが異なりかつ所定の領域に向かうように前記複数の第１音響波検出素子を支持する第２支持体とを有するとともに、前記第１支持体の前記第１開口から挿入された前記被検体とは、前記第１開口の開口面の法線方向において離間する探触子と、前記第１支持体と前記探触子との間に設けられ、最も受信感度が高い方向が
前記所定の領域に向かい、前記音響波を受信して第２受信信号を出力する複数の第２音響波検出素子と、前記被検体と前記探触子との位置関係を変化させることにより前記被検体と前記所定の領域との位置関係を変化させる第１位置制御部と、前記第１および第２受信信号に基づいて被検体情報を生成する生成部とを備える被検体情報取得装置を提供する。
本発明はまた、被検体を挿入する第１開口を有する第１支持体と、前記被検体から伝播する音響波を受信して第１受信信号を出力する複数の第１音響波検出素子と、前記複数の第１音響波検出素子の指向軸が集まるように前記複数の第１音響波検出素子を支持する第２支持体とを有するとともに、前記第１支持体の前記第１開口から挿入された前記被検体とは、前記第１開口の開口面の法線方向において離間する探触子と、前記第１支持体と前記探触子との間に設けられ、最も受信感度が高い方向が所定の領域に向かい、前記音響波を受信して第２受信信号を出力する複数の第２音響波検出素子と、前記被検体と前記探触子との位置関係を変化させることにより前記被検体と前記所定の領域との位置関係を変化させる第１位置制御部と、前記第１および第２受信信号に基づいて被検体情報を生成する生成部とを備える被検体情報取得装置を提供する。
本発明はまた、被検体を挿入する挿入口が設けられ、被検者を支持する支持台と、音響波を検出する複数の検出素子を備え、前記支持台に対して静止して設けられる静止探触子アレイと、前記支持台との距離において前記静止探触子アレイより離れて位置し、所定の領域にそれぞれの指向軸が集まるように配列された、前記音響波を検出する複数の検出素子を備え、前記支持台に対して相対移動する移動探触子アレイと、を備える音響波受信装置を提供する。
本発明はまた、被検体を挿入する挿入口が設けられ、被検者を支持する支持台と、所定の領域にそれぞれの指向軸が集まるように配列された複数の検出素子を備え、前記支持台に対して相対移動する移動探触子アレイと、複数の検出素子を備え、前記支持台に対して静止して設けられる静止探触子アレイと、を備え、前記静止探触子アレイは、前記被検体から前記移動探触子アレイを臨む立体角を増加するように、前記支持台と前記移動探触子アレイとの間に配置されている音響波受信装置を提供する。